(57)【要約】【課題】着呼機においてファクシミリデータの親展受信を行うことができない場合に、発呼機側の操作者が、着呼機が親展受信を行うことができない理由を知ることができるようにする。【解決手段】ファクシミリデータの親展受信を行うことができるファクシミリ１０において、親展ボックスごとに親展情報が記録された記録部と、発呼機から送信された親展情報、及び記録部に記録された親展情報に基づいて、親展受信の際にエラーが発生したかどうかを判断するエラー判定処理手段と、発生したエラーの種別に応じたエラーレポートを生成するレポート生成処理手段と、エラーレポートを発呼機に送信する送信処理手段とを有する。発生したエラーの種別に応じたエラーレポートが生成されるので、発呼機側の操作者は親展受信を行うことができない理由を知ることができる。【選択図】図１
2014165822.tif 000002
【特許請求の範囲】
【請求項１】
発呼機から送信されたファクシミリデータの親展受信を行うことができるようにしたファクシミリにおいて、
（ａ）親展ボックスごとに親展情報が記録された記録部と、
（ｂ）発呼機から送信された親展情報、及び前記記録部に記録された親展情報に基づいて、親展受信の際にエラーが発生したかどうかを判断するエラー判定処理手段と、
（ｃ）発生したエラーの種別に応じたエラーレポートを生成するレポート生成処理手段と、
（ｄ）前記エラーレポートを発呼機に送信する送信処理手段とを有することを特徴とするファクシミリ。
【請求項２】
前記エラー判定処理手段は、発呼機から送信された親展情報と前記記録部に記録された親展情報とが一致しない場合、及び前記記録部において親展ボックスが開設されていない場合に、親展受信の際にエラーが発生したと判断する請求項１に記載のファクシミリ。
【請求項３】
前記親展情報は、親展ボックスを特定するための親展ボックス特定情報、及び認証情報である請求項１又は２に記載のファクシミリ。
【請求項４】
前記送信処理手段は、発呼機から送信された、エラーレポートの送信を要求する信号を受信すると、エラーレポートを発呼機に送信する請求項１〜３のいずれか１項に記載のファクシミリ。
【請求項５】
（ａ）エラーレポートが生成されたかどうか、及びエラーレポートが発呼機に送信されたかどうかを判断するエラーレポート判定処理手段を有するとともに、
（ｂ）前記送信処理手段は、エラーレポートが生成された場合であって、エラーレポートが発呼機に送信されていない場合に、エラーレポートを発呼機に送信する請求項１〜３のいずれか１項に記載のファクシミリ。
【請求項６】
（ａ）発呼機から送信されたエラーレポート送信先情報が受信されているかどうかを判断する送信先情報判定処理手段を有するとともに、
（ｂ）前記送信処理手段は、エラーレポート送信先情報が受信されている場合に、エラーレポートを発呼機に送信する請求項５に記載のファクシミリ。
【請求項７】
（ａ）発呼機から送信されたエラーレポート送信先情報が、前記記録部にあらかじめ登録された複数の電話番号のうちのいずれかと一致するかどうかを判断する電話情報判定処理手段を有するとともに、
（ｂ）前記送信処理手段は、発呼機から送信されたエラーレポート送信先情報が、前記記録部にあらかじめ登録された複数の電話番号のうちのいずれかと一致する場合に、エラーレポートを発呼機に送信する請求項６に記載のファクシミリ。
【請求項８】
（ａ）請求項１〜７のいずれか１項に記載のファクシミリを着呼機として備え、
（ｂ）発呼機と着呼機との間でファクシミリデータの送受信を行うファクシミリ通信システム。
【発明の詳細な説明】
【技術分野】
【０００１】
本発明は、ファクシミリ及びファクシミリ通信システムに関するものである。
【背景技術】
【０００２】
従来、複数のファクシミリ間でファクシミリデータを送受信するようにしたファクシミリ通信システムにおいては、電話回線を介して各ファクシミリが接続され、発信側のファクシミリ、すなわち、発呼機において原稿の画像が読み取られると、読み取られた画像のデータ、すなわち、画データがファクシミリデータとして受信側のファクシミリ、すなわち、着呼機に送信され、該着呼機において受信したファクシミリデータの画像がハードコピーとして出力（印刷）されるようになっている（例えば、特許文献１参照。）。
【先行技術文献】
【特許文献】
【０００３】
【特許文献１】特開２００９−８８７８２号公報
【発明の概要】
【発明が解決しようとする課題】
【０００４】
しかしながら、前記従来のファクシミリ通信システムにおいては、発呼機から着呼機にファクシミリデータの親展送信を行う場合、何らかの理由で着呼機においてファクシミリデータの親展受信を行うことができないことがあるが、その場合、発呼機側の操作者は、着呼機が親展受信を行うことができない理由を知ることができない。
【０００５】
本発明は、前記従来のファクシミリ通信システムの問題点を解決して、着呼機においてファクシミリデータの親展受信を行うことができない場合に、発呼機側の操作者が、着呼機が親展受信を行うことができない理由を知ることができるファクシミリ及びファクシミリ通信システムを提供することを目的とする。
【課題を解決するための手段】
【０００６】
そのために、本発明のファクシミリにおいては、発呼機から送信されたファクシミリデータの親展受信を行うことができるようになっている。
【０００７】
そして、親展ボックスごとに親展情報が記録された記録部と、発呼機から送信された親展情報、及び前記記録部に記録された親展情報に基づいて、親展受信の際にエラーが発生したかどうかを判断するエラー判定処理手段と、発生したエラーの種別に応じたエラーレポートを生成するレポート生成処理手段と、前記エラーレポートを発呼機に送信する送信処理手段とを有する。
【発明の効果】
【０００８】
本発明によれば、ファクシミリにおいては、発呼機から送信されたファクシミリデータの親展受信を行うことができるようになっている。
【０００９】
そして、親展ボックスごとに親展情報が記録された記録部と、発呼機から送信された親展情報、及び前記記録部に記録された親展情報に基づいて、親展受信の際にエラーが発生したかどうかを判断するエラー判定処理手段と、発生したエラーの種別に応じたエラーレポートを生成するレポート生成処理手段と、前記エラーレポートを発呼機に送信する送信処理手段とを有する。
【００１０】
この場合、発呼機から送信された親展情報、及び前記記録部に記録された親展情報に基づいて、親展受信の際にエラーが発生したかどうかが判断され、発生したエラーの種別に応じたエラーレポートが生成され、発呼機に送信される。
【００１１】
したがって、着呼機においてファクシミリデータの親展受信を行うことができない場合に、発呼機側の操作者は、着呼機が親展受信を行うことができない理由を知ることができる。
【図面の簡単な説明】
【００１２】
【図１】本発明の第１の実施の形態におけるファクシミリの制御ブロック図である。
【図２】本発明の第１の実施の形態における固定メッセージ記録部のメモリ構造を示す図である。
【図３】本発明の第１の実施の形態における親展ボックス管理情報部のメモリ構造を示す図である。
【図４】本発明の第１の実施の形態における親展ボックス情報部のメモリ構造を示す図である。
【図５】本発明の第１の実施の形態におけるＣＰＵのブロック図である。
【図６】本発明の第１の実施の形態における着呼機の動作を示す第１のフローチャートである。
【図７】本発明の第１の実施の形態における着呼機の動作を示す第２のフローチャートである。
【図８】本発明の第１の実施の形態におけるＩＴＵ  Ｔ．３０勧告によるファクシミリ情報フィールドを説明するための図である。
【図９】本発明の第１の実施の形態におけるエラーレポートの表示例を示す図である。
【図１０】本発明の第１の実施の形態における着呼機において親展受信が正常に行われた場合の通信制御処理のシーケンス図である。
【図１１】本発明の第１の実施の形態における着呼機において親展受信の際にエラーが発生した場合の通信制御処理のシーケンス図である。
【図１２】着呼機において親展受信の際にエラーが発生した場合の一般的な動作を示す通信制御処理のシーケンス図である。
【図１３】本発明の第２の実施の形態におけるファクシミリの制御ブロック図である。
【図１４】本発明の第２の実施の形態における送信先情報記録部のメモリ構造を示す図である。
【図１５】本発明の第２の実施の形態におけるＣＰＵのブロック図である。
【図１６】本発明の第２の実施の形態における通信制御処理手段のブロック図である。
【図１７】本発明の第２の実施の形態におけるリカバリ処理手段のブロック図である。
【図１８】本発明の第２の実施の形態における着呼機の動作を示すメインフローチャートである。
【図１９】本発明の第２の実施の形態における通信制御処理のサブルーチンを示す第１の図である。
【図２０】本発明の第２の実施の形態における通信制御処理のサブルーチンを示す第２の図である。
【図２１】本発明の第２の実施の形態におけるリカバリ処理のサブルーチンを示す図である。
【図２２】本発明の第２の実施の形態におけるエラーレポート送信処理のサブルーチンを示す図である。
【図２３】本発明の第２の実施の形態における着呼機において親展受信の際にエラーが発生した場合の通信制御処理のシーケンス図である。
【図２４】本発明の第２の実施の形態におけるリカバリ処理の第１のシーケンス図である。
【図２５】本発明の第２の実施の形態におけるリカバリ処理の第２のシーケンス図である。
【図２６】本発明の第３の実施の形態におけるファクシミリの制御ブロック図である。
【図２７】本発明の第３の実施の形態における電話番号記録部のメモリ構造を示す図である。
【図２８】本発明の第３の実施の形態における通信制御処理手段のブロック図である。
【図２９】本発明の第３の実施の形態における着呼機の動作を示すメインフローチャートである。
【図３０】本発明の第３の実施の形態における通信制御処理のサブルーチンを示す第１の図である。
【図３１】本発明の第３の実施の形態における通信制御処理のサブルーチンを示す第２の図である。
【図３２】本発明の第３の実施の形態におけるリカバリ処理のサブルーチンを示す図である。
【図３３】本発明の第３の実施の形態における着呼機において親展受信の際にエラーが発生した場合の通信制御処理の第１のシーケンス図である。
【図３４】本発明の第３の実施の形態における着呼機において親展受信の際にエラーが発生した場合の通信制御処理の第２のシーケンス図である。
【図３５】比較例における通信制御処理のシーケンス図である。
【発明を実施するための形態】
【００１３】
以下、本発明の実施の形態について図面を参照しながら詳細に説明する。
【００１４】
図１は本発明の第１の実施の形態におけるファクシミリの制御ブロック図である。
【００１５】
図において、１０はファクシミリであり、該ファクシミリ１０は、電話網等の交換回線網から成る通信回線としての電話回線２０を介して図示されない複数のファクシミリと接続され、ファクシミリ通信システムを構成する。
【００１６】
図に示されるように、ファクシミリ１０は、中央処理装置としてのＣＰＵ１２、ハードウェアの制御、ソフトウェアの実行等を行う際にデータの送受信を行うための伝送路であるシステムバス１３、前記ＣＰＵ１２によって実行されるソフトウェアであるプログラムが記録された第１の記憶装置としてのＲＯＭ１４、前記ＣＰＵ１２がソフトウェアを実行する際に発生するデータを記録するための第２の記憶装置としてのＲＡＭ１５、ＣＣＤ等を備えたスキャナ装置から成り、原稿の画像を読み取り、画像をドットイメージデータに変換する読取処理手段としての読取部１６、感熱記録方式、電子写真方式等のプリンタ装置から成り、電話回線２０を介して接続された複数のファクシミリのうちの、所定の相手先の（他の）ファクシミリから受信したファクシミリデータ（ＰＩＸ）を画データに変換し、該画データをハードコピーとして出力（印刷）する印刷処理手段としての印刷部１７、後述されるエラーレポートを生成するレポート生成処理手段としてのレポート生成部１８、相手先のファクシミリとの間でファクシミリデータの送受信を行う通信部１９、ファクシミリ１０の状態等を表示する表示部としての、かつ、操作者がファクシミリ１０に各種の指示を入力するための操作部としての操作パネル２１、及びＲＴＣ（Ｒｅａｌ  Ｔｉｍｅ  Ｃｌｏｃｋ）から成り、計時を行い、日時情報を生成する計時部２２を備える。なお、前記操作パネル２１において、前記表示部は、液晶表示装置（ＬＣＤ）等の表示装置から成り、前記操作部は、テンキー、スタートキー等の操作要素から成る。
【００１７】
前記ＲＯＭ１４は、親展受信の際に発生したエラーの内容を表す固定データとしてのメッセージがあらかじめ記録される固定データ記録部としての固定メッセージ記録部１４ａを備える。
【００１８】
ところで、本実施の形態においては、ファクシミリ１０と相手先のファクシミリとの間でファクシミリデータの親展通信（親展送信及び親展受信）を行うことができるようになっていて、ファクシミリ１０において、相手先のファクシミリから親展受信によって受信したファクシミリデータが、ＲＡＭ１５に開設された各親展ボックスに記録されるようになっている。
【００１９】
そのために、前記ＲＡＭ１５は、前記親展ボックスに関する管理情報を記録するための第１の記録部としての、かつ、管理情報記録部としての親展ボックス管理情報部１５ａ、親展受信によって受信したファクシミリデータを親展ボックスごとに記録するための第２の記録部としての、かつ、親展情報記録部としての親展ボックス情報部１５ｂ、及びエラーレポートを記録するための第３の記録部としての、かつ、エラー情報記録部としてのエラーレポート情報記録部１５ｃを備える。
【００２０】
そして、前記レポート生成部１８は、固定メッセージ記録部１４ａにあらかじめ記録されたメッセージのうちの、発生したエラーに対応するメッセージをラスタライズし、ドットイメージデータに変換することによってエラーレポートを生成する。
【００２１】
また、前記通信部１９は、ドッイメージデータを画データに変換したり、画データの圧縮及び伸長を行ったり、ファクシミリ伝送制御手順による手順データ又は画データの変調及び復調を行ったり、前記電話回線２０との接続及び開放を制御したりする。
【００２２】
次に、前記固定メッセージ記録部１４ａについて説明する。
【００２３】
図２は本発明の第１の実施の形態における固定メッセージ記録部のメモリ構造を示す図である。
【００２４】
図に示されるように、固定メッセージ記録部１４ａは、Ａ１番地のアドレスから開始され、配列〔ｎ〕（ｎ＝０、１、…）で表されるメモリ構造を有し、各配列〔ｎ〕ごとに、発生したエラーに対応するメッセージが文字列で、本実施の形態においては、フレーズであらかじめ記録される。この場合、配列〔０〕には、第１の親展情報としての、かつ、親展ボックスを特定するための親展ボックス特定情報としてのボックス番号に誤りがある旨のメッセージが記録され、配列〔１〕には、第２の親展情報としての、かつ、認証情報としてのパスワードに誤りがある旨のメッセージが記録され、配列〔２〕には、親展ボックスが開設されていない旨のメッセージが記録される。
【００２５】
次に、前記親展ボックス管理情報部１５ａについて説明する。
【００２６】
図３は本発明の第１の実施の形態における親展ボックス管理情報部のメモリ構造を示す図である。
【００２７】
図に示されるように、親展ボックス管理情報部１５ａは、Ａ１０番地のアドレスから開始され、配列〔ｎ〕で表されるメモリ構造を有し、親展ボックス管理情報部１５ａ内に、操作者が操作パネル２１を操作することによって開設された親展ボックスごとに、操作者によって登録された、親展ボックスを管理するための親展ボックス管理情報が記録される。すなわち、親展ボックス管理情報部１５ａにおいて、ボックス特定情報記録部としてのボックス番号記録部３０に、操作者によって登録されたボックス番号が、認証情報記録部としてのボックスパスワード記録部３１に、操作者によって登録されたパスワードが、ボックス情報部開始アドレス記録部３２に、通信部１９を介して相手先のファクシミリから受信したファクシミリデータを記録するための開始アドレスＡ〔ｎ〕番地が、ボックス情報部書込バイト数記録部３３に、相手先のファクシミリから受信したファクシミリデータの書込バイト数Ｌ〔ｎ〕が、前記親展ボックス管理情報として、各配列〔ｎ〕に対応させて記録される。
【００２８】
次に、前記親展ボックス情報部１５ｂについて説明する。
【００２９】
図４は本発明の第１の実施の形態における親展ボックス情報部のメモリ構造を示す図である。
【００３０】
図に示されるように、親展ボックス情報部１５ｂは、Ａ２０番地のアドレスから開始され、相手先のファクシミリから受信したファクシミリデータが、前記ボックス情報部開始アドレス記録部３２に記録された開始アドレスＡ〔ｎ〕番地で開始される領域に記録される。
【００３１】
次に、ファクシミリ通信システムの動作について説明する。この場合、送信側のファクシミリ、すなわち、発呼機から受信側のファクシミリ、すなわち、着呼機にファクシミリデータの親展送信が行われるときの、着呼機における通信開始から通信終了までの通信制御処理について説明する。なお、通信制御処理は、ＩＴＵ（Ｉｎｔｅｒｎａｔｉｏｎａｌ  Ｔｅｌｅｃｏｍｍｕｎｉｃａｔｉｏｎ  Ｕｎｉｏｎ）  Ｔ．３０勧告に準拠して行われる。
【００３２】
図５は本発明の第１の実施の形態におけるＣＰＵのブロック図、図６は本発明の第１の実施の形態における着呼機の動作を示す第１のフローチャート、図７は本発明の第１の実施の形態における着呼機の動作を示す第２のフローチャート、図８は本発明の第１の実施の形態におけるＩＴＵ  Ｔ．３０勧告によるファクシミリ情報フィールドを説明するための図、図９は本発明の第１の実施の形態におけるエラーレポートの表示例を示す図、図１０は本発明の第１の実施の形態における着呼機において親展受信が正常に行われた場合の通信制御処理のシーケンス図、図１１は本発明の第１の実施の形態における着呼機において親展受信の際にエラーが発生した場合の通信制御処理のシーケンス図である。
【００３３】
まず、着呼機の通信部１９は、発呼機からの呼出しを受けると、発呼機に対して応答をする（図１０：呼出し及び応答）。これにより、通信部１９と発呼機の通信部とが電話回線２０を介して接続される。
【００３４】
そして、ＣＰＵ１２の送信処理手段Ｐｍ１は、送信処理を行い、着呼機を識別するための信号、すなわち、被呼端末識別（ＣＳＩ：Ｃａｌｌｅｄ  Ｓｕｂｓｃｒｉｂｅｒ  Ｉｄｅｎｔｉｆｉｃａｔｉｏｎ）、及び着呼機の標準能力を表す信号、すなわち、デジタル識別信号（ＤＩＳ：Ｄｉｇｉｔａｌ  Ｉｄｅｎｔｉｆｉｃａｔｉｏｎ  Ｓｉｇｎａｌ）を発呼機に送信し、着呼機の能力宣言を行う（図１０：ＣＳＩ／ＤＩＳ）。この場合、被呼端末識別は着呼機の電話番号である。
【００３５】
前記デジタル識別信号は、図８に示されるように、ＩＴＵ  Ｔ．３０勧告で表される形式を採り、デジタル識別信号のファクシミリ情報フィールドにおいて、例えば、ビット番号９のファクシミリ文書送信準備完了のビット、ビット番号１１〜１４のデータ信号速度のビット、ビット番号１６の二次元符号化能力のビット、ビット番号１７、１８の記録幅能力のビット等が、着呼機の受信能力に応じて所定の値（１又は０）に設定される。
【００３６】
本実施の形態においては、着呼機が親展受信の機能を有するようになっていて、発呼機が着呼機に親展受信を指示すると、デジタル識別信号のファクシミリ情報フィールドにおいて、ビット番号４９のサブアドレス能力のビット、及びビット番号５０のパスワードのビットがそれぞれ１にされる。
【００３７】
また、本実施の形態においては、発呼機及び着呼機が送受反転の機能を有するようになっていて、着呼機が親展受信を行った後、一つのセッションにおいて、発呼機の状態が送信から受信に、着呼機の状態が受信から送信に遷移させられる。そのために、前記デジタル識別信号のファクシミリ情報フィールドにおいて、ビット番号９のファクシミリ文書送信準備完了のビットが１にされる。
【００３８】
次に、ＣＰＵ１２の受信処理手段Ｐｍ２が、受信処理を行い、発呼機から送信された、発呼機を識別するための信号、すなわち、発呼機情報としての、かつ、エラーレポートの送信先の情報（以下「送信先情報」という。）としての送信端末識別（ＴＳＩ：Ｔｒａｎｓｍｉｔｔｉｎｇ  Ｓｕｂｓｃｒｉｂｅｒ  Ｉｄｅｎｔｉｆｉｃａｔｉｏｎ）、及び所定のコマンドを受信すると、ＣＰＵ１２のデジタル命令信号判断処理手段Ｐｍ３は、デジタル命令信号判断処理を行い、受信したコマンドが、デジタル識別信号に対する応答であるデジタル命令信号（ＤＣＳ：Ｄｉｇｉｔａｌ  Ｃｏｍｍａｎｄ  Ｓｉｇｎａｌ）であるかどうかを判断し、受信したコマンドがデジタル命令信号である場合、ＣＰＵ１２の機能設定処理手段Ｐｍ４は、機能設定処理を行い、デジタル命令信号に従って着呼機の標準の機能を設定する。この場合、送信端末識別は発呼機の電話番号である。なお、着呼機がデジタル命令信号を受信したときに、発呼機の状態を送信から受信に、着呼機の状態を受信から送信に遷移させることができる。
【００３９】
前記デジタル命令信号は、図８に示されるように、ＩＴＵ  Ｔ．３０勧告で表される形式を採り、デジタル命令信号のファクシミリ情報フィールドにおいて、例えば、ビット番号１１〜１４のデータ信号速度のビット、ビット番号１６の二次元符号化能力のビット、ビット番号１７、１８の記録幅能力のビット等が、発呼機の送信能力に応じて所定の値（１又は０）に設定される。
【００４０】
そして、発呼機は、着呼機に親展受信を指示するために、前記送信端末識別及びデジタル命令信号のほかに、親展ボックスのボックス番号を指定するための指定情報としてのサブアドレス（ＳＵＢ：Ｓｕｂａｄｄｒｅｓｓ）、及びパスワード（ＰＷＤ：Ｐａｓｓｗｏｒｄ）を着呼機に送信する。したがって、着呼機において、前記受信処理手段Ｐｍ２は、前記送信端末識別、デジタル命令信号、サブアドレス及びパスワードを受信する（図１０：ＴＳＩ／ＤＣＳ／ＳＵＢ／ＰＷＤ）。
【００４１】
続いて、前記受信処理手段Ｐｍ２が発呼機から送信されたトレーニングチェック信号（ＴＣＦ：Ｔｒａｉｎｉｎｇ  Ｃｈｅｃｋ  Ｓｉｇｎａｌ）を受信すると（図１０：ＴＣＦ）、ＣＰＵ１２のトレーニング処理手段Ｐｍ５は、トレーニング処理を行い、ファクシミリデータの送受信のためのモデムトレーニングを行い、トレーニング結果が良好である場合、前記送信処理手段Ｐｍ１は、ファクシミリデータを受信する準備が終了したことを表す信号、すなわち、受信準備確認信号（ＣＦＲ：Ｃｏｎｆｉｒｍａｔｉｏｎ  ｔｏ  Ｒｅｃｅｉｖｅ  Ｓｉｇｎａｌ）を発呼機に送信する（図１０：ＣＦＲ）。
【００４２】
続いて、前記ＣＰＵ１２の親展情報受信判断処理手段Ｐｍ６は、親展情報受信判断処理を行い、サブアドレス及びパスワードを受信したかどうかを判断し、サブアドレス及びパスワードを受信した場合、前記ＣＰＵ１２のエラー判定処理手段Ｐｍ７は、エラー判定処理を行い、親展受信の際にエラーが発生したかどうかを判断する。
【００４３】
そのために、エラー判定処理手段Ｐｍ７は、受信したサブアドレスによって指示されたボックス番号及びパスワードが一致するかどうかを判断する。すなわち、エラー判定処理手段Ｐｍ７は、親展ボックス管理情報部１５ａ（図３）におけるボックス番号記録部３０及びボックスパスワード記録部３１を参照し、受信したサブアドレスによって指示されたボックス番号と、ボックス番号記録部３０に記録されたボックス番号とが一致するかどうかを判断し、受信したサブアドレスによって指示されたボックス番号と、ボックス番号記録部３０に記録されたボックス番号とが一致しない場合、エラーが発生したと判断し、エラーレポートの種別をＥｒ〔０〕としてレポート生成部１８（図１）に送る。
【００４４】
また、受信したサブアドレスによって指示されたボックス番号と、ボックス番号記録部３０に記録されたボックス番号とが一致する場合、前記エラー判定処理手段Ｐｍ７は、受信したパスワードとボックスパスワード記録部３１に記録されたパスワードとが一致するかどうかを判断し、受信したパスワードとボックスパスワード記録部３１に記録されたパスワードとが一致しない場合、エラーが発生したと判断し、エラーレポートの種別をＥｒ〔１〕としてレポート生成部１８に送る。
【００４５】
さらに、親展ボックス管理情報部１５ａにおけるボックス番号記録部３０を参照したときに、ボックス番号記録部３０におけるすべての配列〔ｎ〕が初期値であり、ボックス番号記録部３０にボックス番号が記録されておらず、親展ボックスが開設されていない場合、前記エラー判定処理手段Ｐｍ７は、エラーが発生したと判断し、エラーレポートの種別をＥｒ〔２〕としてレポート生成部１８に送る。
【００４６】
該レポート生成部１８は、レポート生成処理を行い、エラーレポートの種別に応じたエラーレポートを生成する。すなわち、レポート生成部１８は、エラーレポートの種別がＥｒ〔０〕である場合、固定メッセージ記録部１４ａ（図２）を参照し、アドレスＡ１番地の配列〔０〕のメッセージを読み出し、ボックス番号に誤りがある旨のエラーレポートを生成し、第１のエラーレポート情報としてエラーレポート情報記録部１５ｃに記録し、エラーレポートの種別がＥｒ〔１〕である場合、固定メッセージ記録部１４ａを参照し、アドレスＡ１番地の配列〔１〕のメッセージを読み出し、図９に示されるような、パスワードに誤りがある旨のエラーレポートを生成し、第２のエラーレポート情報としてエラーレポート情報記録部１５ｃに記録し、エラーレポートの種別がＥｒ〔２〕である場合、固定メッセージ記録部１４ａを参照し、アドレスＡ１番地の配列〔２〕のメッセージを読み出し、親展ボックスが開設されていない旨のエラーレポートを生成し、第３のエラーレポート情報としてエラーレポート情報記録部１５ｃに記録する。
【００４７】
図９において、エラーレポートの１ライン目には、計時部２２によって生成され、エラーが発生した日時を表す日時情報６０が、２ライン目にはエラーレポートのメッセージ６１が記載される。なお、固定メッセージ記録部１４ａに記録されたメッセージは、ラスタライズされてドットイメージデータに変換され、ＲＡＭ１５に記録される。また、必要に応じて、エラーレポートを操作パネル２１の表示部に表示することができる。
【００４８】
そして、サブアドレス及びパスワードを受信しない場合、又は受信したサブアドレスによって指示されたボックス番号及びパスワードが一致し、かつ、親展ボックスが開設されている場合、エラーレポートは生成されず、前記受信処理手段Ｐｍ２は、発呼機から送信されたファクシミリデータを受信する（図１０：ＰＩＸ）。
【００４９】
ところで、発呼機は、着呼機にファクシミリデータを送信すると、ファクシミリデータの送信用のパラメータを変更したり、送信モードを変更して、着呼機にエラーレポート等のファクシミリデータの送信を要求したりするために、ポストメッセージ命令としてメッセージ終了（ＥＯＭ：Ｅｎｄ  ｏｆ  Ｍｅｓｓａｇｅ）を着呼機に送信する（図１０：ＥＯＭ）。そこで、受信処理手段Ｐｍ２がポストメッセージ命令を受信すると、前記送信処理手段Ｐｍ１は、発呼機に、ポストメッセージ命令を受信したことを通知するための信号、すなわち、メッセージ確認（ＭＣＦ：Ｍｅｓｓａｇｅ  Ｃｏｎｆｉｒｍａｔｉｏｎ）を送信する（図１０：ＭＣＦ）。
【００５０】
続いて、前記ＣＰＵ１２のポストメッセージ判断処理手段Ｐｍ８は、ポストメッセージ判断処理を行い、受信したポストメッセージ命令がメッセージ終了であるかどうかを判断する。そして、受信したポストメッセージ命令がメッセージ終了でない場合、前記ポストメッセージ判断処理手段Ｐｍ８は、ポストメッセージ命令がマルチページ信号（ＭＰＳ：Ｍｕｌｔｉｐａｇｅ  Ｓｉｇｎａｌ）であるかどうかを判断し、受信したポストメッセージ命令がマルチページ信号である場合、前記受信処理手段Ｐｍ２は、複数ページ分のファクシミリデータを受信する。複数ページ分のファクシミリデータの受信が終了すると、通信部１９は電話回線２０を開放することによって通信を終了し、処理を終了する。
【００５１】
また、受信したポストメッセージ命令が、着呼機にファクシミリデータ、本実施の形態においては、エラーレポートの送信を要求するためのメッセージ終了である場合、着呼機においてメッセージ終了を受信すると、前記送信処理手段Ｐｍ１は、再び、被呼端末識別及びデジタル識別信号を発呼機に送信し、着呼機の能力宣言を行う（図１１：ＣＳＩ／ＤＩＳ）。
【００５２】
着呼機の能力宣言が行われると、発呼機は、発呼端末識別（ＣＩＧ：Ｃａｌｌｉｎｇ  Ｓｕｂｓｃｒｉｂｅｒ  Ｉｄｅｎｔｉｆｉｃａｔｉｏｎ）を着呼機に送信するとともに、デジタル識別信号に対する応答である、着呼機にエラーレポートの送信を要求する信号、すなわち、デジタル送信命令（ＤＴＣ：Ｄｉｇｉｔａｌ  Ｔｒａｎｓｍｉｔ  Ｃｏｍｍａｎｄ）をコマンドとして着呼機に送信する（図１１：ＣＩＧ／ＤＴＣ）。
【００５３】
着呼機において、受信処理手段Ｐｍ２が前記発呼端末識別及びコマンドを受信すると、前記デジタル命令信号判断処理手段Ｐｍ３は、受信したコマンドがデジタル命令信号（ＤＣＳ）であるかどうか判断し、受信したコマンドがデジタル命令信号でない場合、ＣＰＵ１２のデジタル送信命令判断処理手段Ｐｍ９は、デジタル送信命令判断処理を行い、受信したコマンドがデジタル送信命令であるかどうかを判断し、受信したコマンドがデジタル送信命令である場合、前記送信処理手段Ｐｍ１は、着呼機を識別するための送信端末識別及びデジタル命令信号を発呼機に送信する（図１１：ＴＳＩ／ＤＣＳ）。
【００５４】
この場合のデジタル命令信号も、発呼機から着呼機に送信されるデジタル命令信号と同様に、図８に示されるように、ＩＴＵ  Ｔ．３０勧告で表される形式を採り、デジタル命令信号のファクシミリ情報フィールドにおいて、例えば、ビット番号１１〜１４のデータ信号速度のビット、ビット番号１６の二次元符号化能力のビット、ビット番号１７、１８の記録幅能力のビット等が、着呼機の送信能力に応じて所定の値（１又は０）に設定される。
【００５５】
なお、発呼機は、着呼機から送信されたデジタル命令信号に従って発呼機の標準の機能を設定する。また、受信したコマンドがデジタル送信命令でない場合、通信部１９は電話回線２０を開放することによって通信を終了し、処理を終了する。
【００５６】
発呼機に送信端末識別及びデジタル命令信号を送信すると、送信処理手段Ｐｍ１は、発呼機にトレーニングチェック信号を送信し（図１１：ＴＣＦ）、発呼機において、ファクシミリデータの送受信のためのモデムトレーニングが行われ、トレーニング結果が良好である場合、発呼機から受信準備確認信号が送信される。そして、着呼機において、受信処理手段Ｐｍ２が前記受信準備確認信号を受信すると（図１１：ＣＦＲ）、送信処理手段Ｐｍ１は、エラーレポート情報記録部１５ｃからエラーレポートを読み出し、発呼機に送信する（図１１：ＰＩＸ）。
【００５７】
さらに、送信処理手段Ｐｍ１は、ポストメッセージ命令としてメッセージ終了（ＥＯＰ：Ｅｎｄ  ｏｆ  Ｐｒｏｃｅｄｕｒｅ）を発呼機に送信し（図１１：ＥＯＰ）、受信処理手段Ｐｍ２が発呼機から送信されたメッセージ確認を受信すると（図１１：ＭＣＦ）、切断命令（ＤＣＮ：Ｄｉｓｃｏｎｎｅｃｔ  Ｓｉｇｎａｌ）を発呼機に送信する（図１１：ＤＣＮ）。そして、通信部１９は電話回線２０を開放することによって通信を終了し、処理を終了する。
【００５８】
このように、本実施の形態においては、発呼機から送信された親展情報、並びに前記親展ボックス管理情報部１５ａに記録されたボックス番号及びパスワードに基づいて、親展受信の際にエラーが発生したかどうかが判断され、発生したエラーの種別に応じたエラーレポートが生成され、発呼機に送信されるので、着呼機においてファクシミリデータの親展受信を行うことができない場合に、発呼機側の操作者は、着呼機が親展受信を行うことができない理由を知ることができる。
【００５９】
また、ＩＴＵ  Ｔ．３０勧告に準拠して通信制御処理が行われるので、ファクシミリ通信システムの汎用性を高くすることができる。
【００６０】
次に、フローチャートについて説明する。
ステップＳ１  送信処理手段Ｐｍ１は着呼機の能力宣言を行う。
ステップＳ２  受信処理手段Ｐｍ２はコマンドを受信する。
ステップＳ３  デジタル命令信号判断処理手段Ｐｍ３は受信したコマンドがデジタル命令信号（ＤＣＳ）であるかどうかを判断する。受信したコマンドがデジタル命令信号（ＤＣＳ）である場合はステップＳ４に、デジタル命令信号（ＤＣＳ）でない場合はステップＳ１３に進む。
ステップＳ４  送信処理手段Ｐｍ１は受信準備確認信号（ＣＦＲ）を送信する。
ステップＳ５  親展情報受信判断処理手段Ｐｍ６はサブアドレス（ＳＵＢ）及びパスワード（ＰＷＤ）を受信したかどうかを判断する。サブアドレス（ＳＵＢ）及びパスワード（ＰＷＤ）を受信した場合はステップＳ６に、サブアドレス（ＳＵＢ）及びパスワード（ＰＷＤ）を受信しない場合はステップＳ８に進む。
ステップＳ６  エラー判定処理手段Ｐｍ７はエラーが発生したかどうかを判断する。エラーが発生した場合はステップＳ７に、エラーが発生していない場合はステップＳ８に進む。
ステップＳ７  レポート生成部１８はエラーレポートを生成する。
ステップＳ８  受信処理手段Ｐｍ２はファクシミリデータ（ＰＩＸ）を受信する。
ステップＳ９  受信処理手段Ｐｍ２はポストメッセージ命令を受信する。
ステップＳ１０  送信処理手段Ｐｍ１はメッセージ確認（ＭＣＦ）を送信する。
ステップＳ１１  ポストメッセージ判断処理手段Ｐｍ８は受信したポストメッセージ命令がメッセージ終了（ＥＯＭ）であるかどうかを判断する。受信したポストメッセージ命令がメッセージ終了（ＥＯＭ）である場合はステップＳ１に戻り、受信したポストメッセージ命令がメッセージ終了（ＥＯＭ）でない場合はステップＳ１２に進む。
ステップＳ１２  ポストメッセージ判断処理手段Ｐｍ８は受信したポストメッセージ命令がマルチページ信号（ＭＰＳ）であるかどかを判断する。受信したポストメッセージ命令がマルチページ信号（ＭＰＳ）である場合はステップＳ８に戻り、受信したポストメッセージ命令がマルチページ信号（ＭＰＳ）でない場合はステップＳ１９に進む。
ステップＳ１３  デジタル送信命令判断処理手段Ｐｍ９は受信したコマンドがデジタル命令信号（ＤＴＣ）であるかどうかを判断する。受信したコマンドがデジタル命令信号（ＤＴＣ）である場合はステップＳ１４に、受信したコマンドがデジタル命令信号（ＤＴＣ）でない場合はステップＳ１９に進む。
ステップＳ１４  送信処理手段Ｐｍ１は送信端末識別（ＴＳＩ）及びデジタル命令信号（ＤＣＳ）を送信する。
ステップＳ１５  受信処理手段Ｐｍ２は受信準備確認信号（ＣＦＲ）を受信する。
ステップＳ１６  送信処理手段Ｐｍ１はエラーレポート（ＰＩＸ）を送信する。
ステップＳ１７  送信処理手段Ｐｍ１はメッセージ終了（ＥＯＰ）を送信する。
ステップＳ１８  受信処理手段Ｐｍ２はメッセージ確認（ＭＣＦ）を受信する。
ステップＳ１９  通信部１９は通信を終了し、処理を終了する。
【００６１】
次に、着呼機において親展受信の際にエラーが発生した場合の、着呼機の一般的な動作について説明する。
【００６２】
図１２は着呼機において親展受信の際にエラーが発生した場合の一般的な動作を示す通信制御処理のシーケンス図である。
【００６３】
まず、着呼機の通信部１９は、発呼機からの呼出しを受けると、発呼機に対して応答をする（図１２：呼出し及び応答）。これにより、通信部１９と発呼機の通信部とが電話回線２０を介して接続される。
【００６４】
そして、前記送信処理手段Ｐｍ１は、被呼端末識別及びデジタル識別信号を発呼機に送り、着呼機の能力宣言を行う（図１２：ＣＳＩ／ＤＩＳ）。
【００６５】
次に、前記受信処理手段Ｐｍ２が発呼機から送信された送信端末識別及び所定のコマンドを受信すると、前記デジタル命令信号判断処理手段Ｐｍ３は、受信したコマンドがデジタル命令信号であるかどうかを判断し、受信したコマンドがデジタル命令信号である場合、前記機能設定処理手段Ｐｍ４は、デジタル命令信号に従って着呼機の標準の機能を設定する。
【００６６】
この場合、発呼機が着呼機に親展受信を指示するようになっていて、デジタル命令信号のファクシミリ情報フィールドにおいて、ビット番号４９のサブアドレス送信のビット、及びビット番号５０の送信者ＩＤ送信のビットが１に設定される。
【００６７】
そして、発呼機は、前記送信端末識別及びデジタル命令信号のほかに、親展ボックスのボックス番号を指示するサブアドレス、及びパスワードを着呼機に送信する。したがって、着呼機において、受信処理手段Ｐｍ２は、前記送信端末識別、デジタル命令信号、サブアドレス及びパスワードを受信する（図１２：ＴＳＩ／ＤＣＳ／ＳＵＢ／ＰＷＤ）。
【００６８】
続いて、受信処理手段Ｐｍ２が発呼機から送信されたトレーニングチェック信号を受信すると（図１２：ＴＣＦ）、前記親展情報受信判断処理手段Ｐｍ６は、サブアドレス及びパスワードを受信したかどうかを判断し、サブアドレス及びパスワードを受信した場合、前記エラー判定処理手段Ｐｍ７は、親展受信の際にエラーが発生したかどうかを判断する。
【００６９】
そのために、エラー判定処理手段Ｐｍ７は、受信したサブアドレスによって指示されたボックス番号及びパスワードが一致するかどうかを判断し、受信したサブアドレスによって指示されたボックス番号と、ボックス番号記録部３０に記録されたボックス番号とが一致しない場合、受信したパスワードとボックスパスワード記録部３１に記録されたパスワードとが一致しない場合、及び親展ボックスが開設されていない場合、エラーが発生したと判断する。
【００７０】
このように、エラーが発生したと判断されると、前記送信処理手段Ｐｍ１は、切断命令を発呼機に送信する（図１２：ＤＣＮ）。そして、通信部１９は電話回線２０を開放することによって通信を終了し、処理を終了する。
【００７１】
ところで、発呼機が送受反転の機能を有していない場合、前記通信制御処理において、レポート生成部１８によってエラーレポートが生成されても、着呼機に発呼端末識別及びデジタル送信命令が送信されず、エラーレポートの送信が要求されないことがある。
【００７２】
そこで、発呼機が送受反転の機能を有しておらず、発呼機からエラーレポートの送信が要求されない場合に、着呼機から発呼機にエラーレポートを送信することができるようにした本発明の第２の実施の形態について説明する。なお、第１の実施の形態と同じ構造を有するものについては、同じ符号を付与し、同じ構造を有することによる発明の効果については同実施の形態の効果を援用する。
【００７３】
図１３は本発明の第２の実施の形態におけるファクシミリの制御ブロック図、図１４は本発明の第２の実施の形態における送信先情報記録部のメモリ構造を示す図である。
【００７４】
本実施の形態において、第２の記憶装置としてのＲＡＭ１５は、第１の記録部としての、かつ、管理情報記録部としての親展ボックス管理情報部１５ａ、第２の記録部としての、かつ、親展情報記録部としての親展ボックス情報部１５ｂ、第３の記録部としての、かつ、エラー情報記録部としてのエラーレポート情報記録部１５ｃ、及び第４の記録部としての、かつ、発呼機情報記録部としての送信先情報記録部１５ｄを備える。
【００７５】
そして、図１４に示されるように、送信先情報記録部１５ｄは、Ａ３０番地のアドレスから開始される領域に、発呼機から通信部１９を介して送信された、発呼機を識別するための発呼機情報としての、かつ、送信先情報としての送信端末識別（ＴＳＩ）が記録される。
【００７６】
次に、ファクシミリ通信システムの動作について説明する。この場合、発呼機から着呼機にファクシミリデータが送信されるときの、着呼機における通信開始から通信終了までの通信制御処理、及び着呼機から発呼機にエラーレポートを送信するためのリカバリ処理について説明する。なお、第１の実施の形態と同様に、通信制御処理は、ＩＴＵ  Ｔ．３０勧告に準拠して行われる。
【００７７】
図１５は本発明の第２の実施の形態におけるＣＰＵのブロック図、図１６は本発明の第２の実施の形態における通信制御処理手段のブロック図、図１７は本発明の第２の実施の形態におけるリカバリ処理手段のブロック図、図１８は本発明の第２の実施の形態における着呼機の動作を示すメインフローチャート、図１９は本発明の第２の実施の形態における通信制御処理のサブルーチンを示す第１の図、図２０は本発明の第２の実施の形態における通信制御処理のサブルーチンを示す第２の図、図２１は本発明の第２の実施の形態におけるリカバリ処理のサブルーチンを示す図、図２２は本発明の第２の実施の形態におけるエラーレポート送信処理のサブルーチンを示す図、図２３は本発明の第２の実施の形態における着呼機において親展受信の際にエラーが発生した場合の通信制御処理のシーケンス図、図２４は本発明の第２の実施の形態におけるリカバリ処理の第１のシーケンス図、図２５は本発明の第２の実施の形態におけるリカバリ処理の第２のシーケンス図である。
【００７８】
まず、中央処理装置としてのＣＰＵ１２の通信制御処理手段Ｐｍ２１は、通信制御処理を行い、ＣＰＵ１２のリカバリ処理手段Ｐｍ２２は、リカバリ処理を行う。
【００７９】
次に、通信制御処理手段Ｐｍ２１の動作について説明する。
【００８０】
まず、前記通信部１９は、発呼機からの呼出しを受けると、発呼機に対して応答をする（図２３：呼出し及び応答）。これにより、通信部１９と発呼機の通信部とが通信回線としての電話回線２０を介して接続される。
【００８１】
そして、通信制御処理手段Ｐｍ２１の送信処理手段Ｐｍ１は、着呼機を識別するための被呼端末識別（ＣＳＩ）、及び着呼機の標準能力を表すデジタル識別信号（ＤＩＳ）を発呼機に送信し、着呼機の能力宣言を行う（図２３：ＣＳＩ／ＤＩＳ）。
【００８２】
次に、通信制御処理手段Ｐｍ２１の受信処理手段Ｐｍ２が、発呼機から送信された、発呼機を識別するための発呼機情報としての、かつ、送信先情報としての送信端末識別（ＴＳＩ）、及び所定のコマンドを受信すると、前記通信制御処理手段Ｐｍ２１の記録処理手段Ｐｍ１０は、記録処理を行い、送信端末識別を送信先情報記録部１５ｄに記録する。そして、通信制御処理手段Ｐｍ２１のデジタル命令信号判断処理手段Ｐｍ３は、受信したコマンドが、デジタル識別信号に対する応答であるデジタル命令信号（ＤＣＳ）であるかどうかを判断し、受信したコマンドがデジタル命令信号である場合、通信制御処理手段Ｐｍ２１の機能設定処理手段Ｐｍ４は、デジタル命令信号に従って着呼機の標準の機能を設定する。
【００８３】
また、発呼機は、着呼機に親展受信を指示するために、前記送信端末識別及びデジタル命令信号のほかに、親展ボックスの、第１の親展情報としての、かつ、親展ボックス特定情報としてのボックス番号を指定するための指定情報としてのサブアドレス（ＳＵＢ）、及びパスワード（ＰＷＤ）を着呼機に送信する。したがって、着呼機において、前記受信処理手段Ｐｍ２は、前記送信端末識別、デジタル命令信号、サブアドレス及びパスワードを受信する（図２３：ＴＳＩ／ＤＣＳ／ＳＵＢ／ＰＷＤ）。
【００８４】
続いて、受信処理手段Ｐｍ２が発呼機から送信されたトレーニングチェック信号（ＴＣＦ）を受信すると（図２３：ＴＣＦ）、通信制御処理手段Ｐｍ２１のトレーニング処理手段Ｐｍ５は、ファクシミリデータの送受信のためのモデムトレーニングを行い、トレーニング結果が良好である場合、前記送信処理手段Ｐｍ１は、ファクシミリデータを受信する準備が終了したことを表す受信準備確認信号（ＣＦＲ）を発呼機に送信する（図２３：ＣＦＲ）。
【００８５】
次に、前記通信制御処理手段Ｐｍ２１の親展情報受信判断処理手段Ｐｍ６は、サブアドレス及びパスワードを受信したかどうかを判断し、サブアドレス及びパスワードを受信した場合、前記通信制御処理手段Ｐｍ２１のエラー判定処理手段Ｐｍ７は、親展受信の際にエラーが発生したかどうかを判断する。
【００８６】
そのために、エラー判定処理手段Ｐｍ７は、受信したサブアドレスによって指示されたボックス番号及びパスワードが一致するかどうかを判断し、受信したサブアドレスによって指示されたボックス番号と、ボックス特定情報記録部としてのボックス番号記録部３０（図３）に記録されたボックス番号とが一致しない場合、受信したパスワードと、認証情報記録部としてのボックスパスワード記録部３１に記録されたパスワードとが一致しない場合、及び親展ボックスが開設されていない場合、エラーが発生したと判断し、エラーレポートの種別をレポート生成処理手段としてのレポート生成部１８に送る。
【００８７】
該レポート生成部１８は、エラーレポートの種別に応じたエラーレポートを生成し、第１〜第３のエラーレポート情報としてエラーレポート情報記録部１５ｃに記録する。また、前記記録処理手段Ｐｍ１０は、レポート生成部１８によってエラーレポートが生成されたことを表す生成記録を、第４のエラーレポート情報としてエラーレポート情報記録部１５ｃに記録する。
【００８８】
そして、前記受信処理手段Ｐｍ２が、発呼機から送信されたファクシミリデータを受信し（図２３：ＰＩＸ）、続いて、ポストメッセージ命令を受信すると、前記送信処理手段Ｐｍ１は、発呼機にポストメッセージ命令を受信したことを通知するためのメッセージ確認（ＭＣＦ）を送信する（図２３：ＭＣＦ）。
【００８９】
そして、前記通信制御処理手段Ｐｍ２１のポストメッセージ判断処理手段Ｐｍ８は、受信したポストメッセージ命令がメッセージ終了（ＥＯＭ）であるかどうかを判断する。受信したポストメッセージ命令がメッセージ終了でない場合、前記ポストメッセージ判断処理手段Ｐｍ８は、受信したポストメッセージ命令がマルチページ信号（ＭＰＳ）であるかどうかを判断し、受信したポストメッセージ命令がマルチページ信号である場合、前記受信処理手段Ｐｍ２は、複数ページ分のファクシミリデータを受信する。複数ページ分のファクシミリデータの受信が終了すると、通信部１９は電話回線２０を開放することによって通信を終了し、処理を終了する。
【００９０】
また、受信したポストメッセージ命令が、着呼機にファクシミリデータ、本実施の形態においては、エラーレポートの送信を要求するためのメッセージ終了である場合、着呼機においてメッセージ終了を受信すると（図２３：ＥＯＭ）、前記送信処理手段Ｐｍ１は、再び、被呼端末識別及びデジタル識別信号を発呼機に送信し、着呼機の能力宣言を行う（図２３：ＣＳＩ／ＤＩＳ）。
【００９１】
そして、着呼機の能力宣言が行われると、発呼機は、発呼端末識別（ＣＩＧ）を着呼機に送信するとともに、デジタル識別信号に対する応答である、着呼機にエラーレポートの送信を要求するデジタル送信命令（ＤＴＣ）をコマンドとして着呼機に送信する（図２３：ＣＩＧ／ＤＴＣ）。
【００９２】
着呼機において、受信処理手段Ｐｍ２が前記発呼端末識別及びコマンドを受信すると、前記デジタル命令信号判断処理手段Ｐｍ３は、受信したコマンドがデジタル命令信号（ＤＣＳ）であるかどうか判断し、受信したコマンドがデジタル命令信号でない場合、通信制御処理手段Ｐｍ２１のデジタル送信命令判断処理手段Ｐｍ９は、受信したコマンドがデジタル送信命令であるかどうかを判断する。ところで、発呼機が送受反転の機能を有し、発呼機から着呼機にデジタル送信命令が送信される。そこで、受信したコマンドがデジタル送信命令である場合、送信処理手段Ｐｍ１は、着呼機を識別するための送信端末識別（ＴＳＩ）及びデジタル命令信号（ＤＣＳ）を発呼機に送信する（図２３：ＴＳＩ／ＤＣＳ）。
【００９３】
なお、発呼機は、着呼機から送信されたデジタル命令信号に従って発呼機の標準の機能を設定する。また、受信したコマンドがデジタル送信命令でない場合、通信部１９は電話回線２０を開放することによって通信を終了し、処理を終了する。
【００９４】
発呼機に送信端末識別及びデジタル命令信号を送信すると、送信処理手段Ｐｍ１は、発呼機にトレーニングチェック信号を送信し（図２３：ＴＣＦ）、発呼機において、ファクシミリデータの送受信のためのモデムトレーニングが行われ、トレーニング結果が良好である場合、発呼機から受信準備確認信号が送信される。そして、着呼機において、受信処理手段Ｐｍ２が前記受信準備確認信号を受信すると（図２３：ＣＦＲ）、送信処理手段Ｐｍ１は、エラーレポート情報記録部１５ｃからエラーレポートを読み出し、発呼機に送信する（図２３：ＰＩＸ）。
【００９５】
そして、前記記録処理手段Ｐｍ１０は、送信処理手段Ｐｍ１によってエラーレポートが発呼機に送信されたことを表す送信記録を、第５のエラーレポート情報としてエラーレポート情報記録部１５ｃに記録する。
【００９６】
続いて、送信処理手段Ｐｍ１は、ポストメッセージ命令としてメッセージ終了を発呼機に送信し（図２３：ＥＯＰ）、受信処理手段Ｐｍ２が発呼機から送信されたメッセージ確認を受信すると（図２３：ＭＣＦ）、切断命令（ＤＣＮ）を発呼機に送信する（図２３：ＤＣＮ）。そして、通信部１９は電話回線２０を開放することによって通信を終了し、処理を終了する。
【００９７】
次に、図１８のフローチャートについて説明する。
ステップＳ２１  通信制御処理手段Ｐｍ２１は通信制御処理を行う。
ステップＳ２２  リカバリ処理手段Ｐｍ２２はリカバリ処理を行い、処理を終了する。
【００９８】
次に、図１９及び２０のフローチャートについて説明する。
ステップＳ２１−１  送信処理手段Ｐｍ１は着呼機の能力宣言を行う。
ステップＳ２１−２  受信処理手段Ｐｍ２はコマンドを受信する。
ステップＳ２１−３  記録処理手段Ｐｍ１０は送信端末識別（ＴＳＩ）を送信先情報記録部１５ｄに記録する。
ステップＳ２１−４  デジタル命令信号判断処理手段Ｐｍ３は受信したコマンドがデジタル命令信号（ＤＣＳ）であるかどうかを判断する。受信したコマンドがデジタル命令信号（ＤＣＳ）である場合はステップＳ２１−５に、受信したコマンドがデジタル命令信号（ＤＣＳ）でない場合はステップＳ２１−１４に進む。
ステップＳ２１−５  送信処理手段Ｐｍ１は受信準備確認信号（ＣＦＲ）を送信する。
ステップＳ２１−６  親展情報受信判断処理手段Ｐｍ６はサブアドレス（ＳＵＢ）及びパスワード（ＰＷＤ）を受信したかどうかを判断する。サブアドレス（ＳＵＢ）及びパスワード（ＰＷＤ）を受信した場合はステップＳ２１−７に、サブアドレス（ＳＵＢ）及びパスワード（ＰＷＤ）を受信しない場合はステップＳ２１−９に進む。
ステップＳ２１−７  エラー判定処理手段Ｐｍ７はエラーが発生したかどうかを判断する。エラーが発生した場合はステップＳ２１−８に、エラーが発生していない場合はステップＳ２１−９に進む。
ステップＳ２１−８  レポート生成部１８はエラーレポートを生成する。
ステップＳ２１−９  受信処理手段Ｐｍ２はファクシミリデータ（ＰＩＸ）を受信する。
ステップＳ２１−１０  受信処理手段Ｐｍ２はポストメッセージ命令を受信する。
ステップＳ２１−１１  送信処理手段Ｐｍ１はメッセージ確認（ＭＣＦ）を送信する。
ステップＳ２１−１２  ポストメッセージ判断処理手段Ｐｍ８は受信したポストメッセージ命令がメッセージ終了（ＥＯＭ）であるかどうかを判断する。受信したポストメッセージ命令がメッセージ終了（ＥＯＭ）である場合はステップＳ２１−１に戻り、受信したポストメッセージ命令がメッセージ終了（ＥＯＭ）でない場合はステップＳ２１−１３に進む。
ステップＳ２１−１３  ポストメッセージ判断処理手段Ｐｍ８は受信したポストメッセージ命令がマルチページ信号（ＭＰＳ）であるかどかを判断する。受信したポストメッセージ命令がマルチページ信号（ＭＰＳ）である場合はステップＳ２１−９に戻り、受信したポストメッセージ命令がマルチページ信号（ＭＰＳ）でない場合はステップＳ２１−１４に進む。
ステップＳ２１−１４  デジタル送信命令判断処理手段Ｐｍ９は受信したコマンドがデジタル送信命令（ＤＴＣ）であるかどうかを判断する。受信したコマンドがデジタル送信命令（ＤＴＣ）である場合はステップＳ２１−１５に、受信したコマンドがデジタル送信命令（ＤＴＣ）でない場合はステップＳ２１−２０に進む。
ステップＳ２１−１５  送信処理手段Ｐｍ１は送信端末識別（ＴＳＩ）及びデジタル命令信号（ＤＣＳ）を送信する。
ステップＳ２１−１６  受信処理手段Ｐｍ２は受信準備確認信号（ＣＦＲ）を受信する。
ステップＳ２１−１７  送信処理手段Ｐｍ１はエラーレポート（ＰＩＸ）を送信する。
ステップＳ２１−１８  送信処理手段Ｐｍ１はポストメッセージ命令を送信する。
ステップＳ２１−１９  受信処理手段Ｐｍ２はメッセージ確認（ＭＣＦ）を受信する。
ステップＳ２１−２０  通信部１９は通信を終了し、リターンする。
【００９９】
ところで、前述されたように、前記通信制御処理において、レポート生成部１８によってエラーレポートが生成されても、発呼機が送受反転の機能を有しない場合には、発呼機から着呼機に発呼端末識別及びデジタル送信命令が送信されず、発呼機はエラーレポートの送信を要求しない。
【０１００】
次に、発呼機が送受反転の機能を有しない場合の、着呼機における通信制御処理手段Ｐｍ２１及びリカバリ処理手段Ｐｍ２２の動作について説明する。
【０１０１】
まず、通信制御処理において、前記通信部１９は、発呼機からの呼出しを受けると、発呼機に対して応答をする（図２４：呼出し及び応答）。これにより、通信部１９と発呼機の通信部とが電話回線２０を介して接続される。
【０１０２】
そして、前記通信制御処理手段Ｐｍ２１の送信処理手段Ｐｍ１は、被呼端末識別（ＣＳＩ）及びデジタル識別信号（ＤＩＳ）を発呼機に送り、着呼機の能力宣言を行う（図２４：ＣＳＩ／ＤＩＳ）。
【０１０３】
次に、通信制御処理手段Ｐｍ２１の受信処理手段Ｐｍ２が、発呼機から送信された送信端末識別（ＴＳＩ）及び所定のコマンドを受信すると、前記通信制御処理手段Ｐｍ２１の記録処理手段Ｐｍ１０は、送信端末識別を送信先情報記録部１５ｄに記録する。そして、通信制御処理手段Ｐｍ２１のデジタル命令信号判断処理手段Ｐｍ３は、受信したコマンドがデジタル命令信号（ＤＣＳ）であるかどうかを判断し、受信したコマンドがデジタル命令信号である場合、通信制御処理手段Ｐｍ２１の機能設定処理手段Ｐｍ４は、デジタル命令信号に従って着呼機の標準の機能を設定する。
【０１０４】
また、発呼機は、着呼機に親展受信を指示するために、サブアドレス（ＳＵＢ）及びパスワード（ＰＷＤ）を着呼機に送信する。すなわち、着呼機において、受信処理手段Ｐｍ２は、前記送信端末識別、デジタル命令信号、サブアドレス及びパスワードを受信する（図２４：ＴＳＩ／ＤＣＳ／ＳＵＢ／ＰＷＤ）。
【０１０５】
続いて、受信処理手段Ｐｍ２が発呼機から送信されたトレーニングチェック信号（ＴＣＦ）を受信すると（図２４：ＴＣＦ）、通信制御処理手段Ｐｍ２１のトレーニング処理手段Ｐｍ５は、ファクシミリデータの送受信のためのモデムトレーニングを行い、トレーニング結果が良好である場合、前記送信処理手段Ｐｍ１は、受信準備確認信号（ＣＦＲ）を発呼機に送信する（図２４：ＣＦＲ）。
【０１０６】
次に、前記通信制御処理手段Ｐｍ２１の親展情報受信判断処理手段Ｐｍ６は、サブアドレス及びパスワードを受信したかどうかを判断し、サブアドレス及びパスワードを受信した場合、前記通信制御処理手段Ｐｍ２１のエラー判定処理手段Ｐｍ７は、親展受信の際にエラーが発生したかどうかを判断する。
【０１０７】
そのために、エラー判定処理手段Ｐｍ７は、受信したサブアドレスによって指示されたボックス番号及びパスワードが一致するかどうかを判断する。すなわち、エラー判定処理手段Ｐｍ７は、受信したサブアドレスによって指示されたボックス番号と、ボックス番号記録部３０に記録されたボックス番号とが一致するかどうかを判断し、受信したサブアドレスによって指示されたボックス番号と、ボックス番号記録部３０に記録されたボックス番号とが一致しない場合、エラーが発生したと判断し、エラーレポートの種別をＥｒ〔０〕としてレポート生成部１８に送る。
【０１０８】
また、受信したサブアドレスによって指示されたボックス番号と、ボックス番号記録部３０に記録されたボックス番号とが一致する場合、前記エラー判定処理手段Ｐｍ７は、受信したパスワードとボックスパスワード記録部３１に記録されたパスワードとが一致するかどうかを判断し、受信したパスワードとボックスパスワード記録部３１に記録されたパスワードとが一致しない場合、エラーが発生したと判断し、エラーレポートの種別をＥｒ〔１〕としてレポート生成部１８に送る。
【０１０９】
さらに、親展ボックス管理情報部１５ａにおけるボックス番号記録部３０を参照したときに、ボックス番号記録部３０にボックス番号が記録されておらず、親展ボックスが開設されていない場合、前記エラー判定処理手段Ｐｍ７は、エラーが発生したと判断し、エラーレポートの種別をＥｒ〔２〕としてレポート生成部１８に送る。
【０１１０】
該レポート生成部１８は、エラーレポートの種別に応じたエラーレポートを生成する。すなわち、レポート生成部１８は、エラーレポートの種別がＥｒ〔０〕である場合、ボックス番号に誤りがある旨のエラーレポートを生成し、第１のエラーレポート情報としてエラーレポート情報記録部１５ｃに記録し、エラーレポートの種別がＥｒ〔１〕である場合、パスワードに誤りがある旨のエラーレポートを生成し、第２のエラーレポート情報としてエラーレポート情報記録部１５ｃに記録し、エラーレポートの種別がＥｒ〔２〕である場合、親展ボックスが開設されていない旨のエラーレポートを生成し、第３のエラーレポート情報としてエラーレポート情報記録部１５ｃに記録する。そして、前記記録処理手段Ｐｍ１０は、レポート生成部１８によってエラーレポートが生成されたことを表す生成記録を、第４のエラーレポート情報としてエラーレポート情報記録部１５ｃに記録する。
【０１１１】
そして、前記受信処理手段Ｐｍ２が、発呼機から送信されたファクシミリデータを受信し（図２４：ＰＩＸ）、続いて、ポストメッセージ命令を受信すると、前記送信処理手段Ｐｍ１は、発呼機にポストメッセージ命令を受信したことを通知するためのメッセージ確認（ＭＣＦ）を送信する（図２４：ＭＣＦ）。
【０１１２】
通信制御処理手段Ｐｍ２１のポストメッセージ判断処理手段Ｐｍ８は、受信したポストメッセージ命令がメッセージ終了（ＥＯＭ）であるかどうかを判断する。受信したポストメッセージ命令がメッセージ終了でない場合、前記ポストメッセージ判断処理手段Ｐｍ８は、受信したポストメッセージ命令がマルチページ信号（ＭＰＳ）であるかどうかを判断し、受信したポストメッセージ命令がマルチページ信号である場合、前記受信処理手段Ｐｍ２は、複数ページ分のファクシミリデータを受信する。
【０１１３】
この場合、発呼機は送受反転の機能を有していないので、着呼機にエラーレポートの送信を要求することなく、切断命令（ＤＣＮ）を送信する（図２４：ＤＣＮ）。その結果、発呼機の通信部によって電話回線２０が開放されて、通信が終了する。
【０１１４】
そこで、リカバリ処理手段Ｐｍ２２のエラーレポート判定処理手段Ｐｍ３１は、エラーレポート判定処理を行い、エラーレポート情報記録部１５ｃを参照し、エラーレポートが生成されたかどうかを判断し、エラーレポートが生成された場合、エラーレポートが発呼機に送信されたかどうかを判断する。
【０１１５】
そして、エラーレポートが発呼機に送信されていない場合、リカバリ処理手段Ｐｍ２２の送信先情報判定処理手段としてのエラーレポート送信先情報判定処理手段Ｐｍ３２は、送信先情報判定処理としてのエラーレポート送信先情報判定処理を行い、送信先情報記録部１５ｄを参照し、発呼機から送信されたエラーレポート送信先情報としての送信端末識別が受信されているかどうかを判断し、送信端末識別が受信されている場合、リカバリ処理手段Ｐｍ２２のエラーレポート送信処理手段Ｐｍ３３は、エラーレポート送信処理を行い、エラーレポートを発呼機に送信する。
【０１１６】
そのために、前記通信部１９が、発呼機に対して呼出しを送り、発呼機から応答を受けると（図２５：呼出し及び応答）、通信部１９と発呼機の通信部とが電話回線２０を介して接続される。
【０１１７】
そして、前記エラーレポート送信処理手段Ｐｍ３３の受信処理手段Ｐｍ４１は、受信処理を行い、発呼機から、発呼機を識別するための被呼端末識別（ＣＳＩ）、及び発呼機の標準能力を表すデジタル識別信号（ＤＩＳ）を受信する。これにより、発呼機の能力宣言が行われる（図２５：ＣＳＩ／ＤＩＳ）。
【０１１８】
続いて、エラーレポート送信処理手段Ｐｍ３３の送信処理手段Ｐｍ４２は、送信処理を行い、発呼機に、着呼機を識別するための着呼機情報としての、かつ、送信先情報としての送信端末識別（ＴＳＩ）、及びデジタル識別信号に対する応答であるデジタル命令信号（ＤＣＳ）を送信する（図２５：ＴＳＩ／ＤＣＳ）。
【０１１９】
続いて、送信処理手段Ｐｍ４２が発呼機にトレーニングチェック信号を送信すると（図２５：ＴＣＦ）、発呼機において、ファクシミリデータの送受信のためのモデムトレーニングが行われ、トレーニング結果が良好である場合、発呼機から受信準備確認信号が送信される。そして、着呼機において、受信処理手段Ｐｍ４１が前記受信準備確認信号を受信すると（図２５：ＣＦＲ）、送信処理手段Ｐｍ４２は、エラーレポート情報記録部１５ｃからエラーレポートを読み出し、発呼機に送信する（図２５：ＰＩＸ）。
【０１２０】
また、送信処理手段Ｐｍ４２は、ポストメッセージ命令としてメッセージ終了（ＥＯＭ）を発呼機に送信し（図２５：ＥＯＭ）、受信処理手段Ｐｍ４１が発呼機からメッセージ終了（ＥＯＭ）を受信したことを通知するためのメッセージ確認（ＭＣＦ）を受信すると（図２５：ＭＣＦ）、切断命令（ＤＣＮ）送信する（図２５：ＤＣＮ）。そして、通信部１９は電話回線２０を開放することによって通信を終了し、処理を終了する。
【０１２１】
このように、本実施の形態においては、発呼機が送受反転の機能を有しておらず、発呼機から着呼機に発呼端末識別及びデジタル送信命令が送信されず、発呼機がエラーレポートの送信を要求しない場合においても、発呼機から送信された送信端末識別に基づいて発呼機を特定し、発呼機にエラーレポートを送信することができる。
【０１２２】
したがって、発呼機が送受反転の機能を有していない場合であっても、発呼機側の操作者は、着呼機が親展受信を行うことができない理由を知ることができる。
【０１２３】
次に、図２１のフローチャートについて説明する。
ステップＳ２２−１  エラーレポート判定処理手段Ｐｍ３１はエラーレポートが生成されたかどうかを判断する。エラーレポートが生成された場合はステップＳ２２−２に進み、エラーレポートが生成されていない場合はリターンする。
ステップＳ２２−２  エラーレポート判定処理手段Ｐｍ３１はエラーレポートが送信されたかどうかを判断する。エラーレポートが送信された場合はリターンし、エラーレポートが送信されていない場合はステップＳ２２−３に進む。
ステップＳ２２−３  エラーレポート送信先情報判定処理手段Ｐｍ３２は送信端末識別（ＴＳＩ）が受信されているかどうかを判断する。送信端末識別（ＴＳＩ）が受信されている場合はステップＳ２２−４に進み、送信端末識別（ＴＳＩ）が受信されていない場合はリターンする。
ステップＳ２２−４  エラーレポート送信処理手段Ｐｍ３３はエラーレポート送信処理を行い、リターンする。
【０１２４】
次に、図２２のフローチャートについて説明する。
ステップＳ２２−４−１  通信部１９は発呼機に対して呼出しを送る。
ステップＳ２２−４−２  受信処理手段Ｐｍ４１は被呼端末識別（ＣＳＩ）及びデジタル識別信号（ＤＩＳ）を受信する。
ステップＳ２２−４−３  送信処理手段Ｐｍ４２は送信端末識別（ＴＳＩ）及びデジタル命令信号（ＤＣＳ）を送信する。
ステップＳ２２−４−４  受信処理手段Ｐｍ４１は受信準備確認信号（ＣＦＲ）を受信する。
ステップＳ２２−４−５  送信処理手段Ｐｍ４２はエラーレポート（ＰＩＸ）を送信する。
ステップＳ２２−４−６  送信処理手段Ｐｍ４２はポストメッセージ命令を送信する。
ステップＳ２２−４−７  受信処理手段Ｐｍ４１はメッセージ確認（ＭＣＦ）を受信する。
ステップＳ２２−４−８  通信部１９は通信を終了し、リターンする。
【０１２５】
次に、本発明の第３の実施の形態について説明する。なお、第１、第２の実施の形態と同じ構造を有するものについては、同じ符号を付与し、同じ構造を有することによる発明の効果については前記各実施の形態の効果を援用する。
【０１２６】
図２６は本発明の第３の実施の形態におけるファクシミリの制御ブロック図、図２７は本発明の第３の実施の形態における電話番号記録部のメモリ構造を示す図である。
【０１２７】
本実施の形態において、第２の記憶装置としてのＲＡＭ１５は、第１の記録部としての、かつ、管理情報記録部としての親展ボックス管理情報部１５ａ、第２の記録部としての、かつ、親展情報記録部としての親展ボックス情報部１５ｂ、第３の記録部としての、かつ、エラー情報記録部としてのエラーレポート情報記録部１５ｃ、第４の記録部としての、かつ、発呼機情報記録部としての送信先情報記録部１５ｄ、及び第５の記録部としての、かつ、電話情報記録部としての電話番号記録部１５ｅを備える。
【０１２８】
図２７に示されるように、電話番号記録部１５ｅにおいて、Ａ４０番地のアドレスから開始される領域に、操作者が操作パネル２１の操作部を操作することによってあらかじめ登録した複数の短縮ダイヤル〔ｍ〕（ｍ＝１、２、…）の電話番号が電話情報として記録される。
【０１２９】
次に、ファクシミリ通信システムの動作について説明する。この場合、発呼機から着呼機にファクシミリデータの親展送信が行われる場合の、着呼機における通信開始から通信終了までの通信制御処理、及び着呼機から発呼機にエラーレポートを送信するためのリカバリ処理について説明する。なお、前記各実施の形態と同様に、通信制御処理は、ＩＴＵ  Ｔ．３０勧告に準拠して行われる。
【０１３０】
図２８は本発明の第３の実施の形態における通信制御処理手段のブロック図、図２９は本発明の第３の実施の形態における着呼機の動作を示すメインフローチャート、図３０は本発明の第３の実施の形態における通信制御処理のサブルーチンを示す第１の図、図３１は本発明の第３の実施の形態における通信制御処理のサブルーチンを示す第２の図、図３２は本発明の第３の実施の形態におけるリカバリ処理のサブルーチンを示す図、図３３は本発明の第３の実施の形態における着呼機において親展受信の際にエラーが発生した場合の通信制御処理の第１のシーケンス図、図３４は本発明の第３の実施の形態における着呼機において親展受信の際にエラーが発生した場合の通信制御処理の第２のシーケンス図である。
【０１３１】
まず、中央処理装置としてのＣＰＵ１２の通信制御処理手段Ｐｍ２１の動作について説明する。
【０１３２】
通信制御処理において、前記通信部１９は、発呼機からの呼出しを受けると、発呼機に対して応答をする（図３３：呼出し及び応答）。これにより、通信部１９と発呼機の通信部とが通信回路としての電話回線２０を介して接続される。
【０１３３】
そして、通信制御処理手段Ｐｍ２１の前記送信処理手段Ｐｍ１は、着呼機を識別するための被呼端末識別（ＣＳＩ）、及び着呼機の標準能力を表すデジタル識別信号（ＤＩＳ）を発呼機に送信し、着呼機の能力宣言を行う（図３３：ＣＳＩ／ＤＩＳ）。
【０１３４】
次に、通信制御処理手段Ｐｍ２１の前記受信処理手段Ｐｍ２が、発呼機から送信された、発呼機を識別するための発呼機情報としての、かつ、送信先情報としての送信端末識別（ＴＳＩ）、及び所定のコマンドを受信すると、前記通信制御処理手段Ｐｍ２１の前記記録処理手段Ｐｍ１０は、送信端末識別を送信先情報記録部１５ｄに記録する。そして、通信制御処理手段Ｐｍ２１の前記デジタル命令信号判断処理手段Ｐｍ３は、受信したコマンドが、デジタル識別信号に対する応答であるデジタル命令信号（ＤＣＳ）であるかどうかを判断し、受信したコマンドがデジタル命令信号である場合、通信制御処理手段Ｐｍ２１の前記機能設定処理手段Ｐｍ４は、デジタル命令信号に従って着呼機の標準の機能を設定する。
【０１３５】
また、発呼機は、着呼機に親展受信を指示するために、前記送信端末識別及びデジタル命令信号のほかに、親展ボックスの、第１の親展情報としての、かつ、親展ボックス特定情報としてのボックス番号を指定するための特定情報としてのサブアドレス（ＳＵＢ）、及び第２の親展情報としての、かつ、認証情報としてのパスワード（ＰＷＤ）を着呼機に送信する。したがって、着呼機において、受信処理手段Ｐｍ２は、前記送信端末識別、デジタル命令信号、サブアドレス及びパスワードを受信する（図３３：ＴＳＩ／ＤＣＳ／ＳＵＢ／ＰＷＤ）。
【０１３６】
続いて、受信処理手段Ｐｍ２が発呼機から送信されたトレーニングチェック信号（ＴＣＦ）を受信すると（図３３：ＴＣＦ）、通信制御処理手段Ｐｍ２１の前記トレーニング処理手段Ｐｍ５は、ファクシミリデータの送受信のためのモデムトレーニングを行い、トレーニング結果が良好である場合、前記送信処理手段Ｐｍ１は、ファクシミリデータを受信する準備が終了したことを表す受信準備確認信号（ＣＦＲ）を発呼機に送信する（図３３：ＣＦＲ）。
【０１３７】
次に、前記通信制御処理手段Ｐｍ２１の親展情報受信判断処理手段Ｐｍ６は、サブアドレス及びパスワードを受信したかどうかを判断し、サブアドレス及びパスワードを受信した場合、前記通信制御処理手段Ｐｍ２１のエラー判定処理手段Ｐｍ７は、親展受信の際にエラーが発生したかどうかを判断する。
【０１３８】
そのために、エラー判定処理手段Ｐｍ７は、受信したサブアドレスによって指示されたボックス番号及びパスワードが一致するかどうかを判断し、受信したサブアドレスによって指示されたボックス番号と、ボックス特定情報記録部としてのボックス番号記録部３０（図３）に記録されたボックス番号とが一致しない場合、受信したパスワードと、認証情報記録部としてのボックスパスワード記録部３１に記録されたパスワードとが一致しない場合、及び親展ボックスが開設されていない場合、エラーが発生したと判断し、エラーレポートの種別をレポート生成処理手段としてのレポート生成部１８に送る。
【０１３９】
該レポート生成部１８は、エラーレポートの種別に応じたエラーレポートを生成し、第１〜第３のエラーレポート情報としてエラーレポート情報記録部１５ｃに記録する。また、前記記録処理手段Ｐｍ１０は、レポート生成部１８によってエラーレポートが生成されたことを表す生成記録を、第４のエラーレポート情報としてエラーレポート情報記録部１５ｃに記録する。
【０１４０】
そして、前記受信処理手段Ｐｍ２が、発呼機から送信されたファクシミリデータを受信し（図３３：ＰＩＸ）、続いて、ポストメッセージ命令を受信すると、前記送信処理手段Ｐｍ１は、発呼機にポストメッセージ命令を受信したことを通知するためのメッセージ確認（ＭＣＦ）を送信する（図３３：ＭＣＦ）。
【０１４１】
そして、通信制御処理手段Ｐｍ２１の前記ポストメッセージ判断処理手段Ｐｍ８は、受信したポストメッセージ命令がメッセージ終了（ＥＯＭ）であるかどうかを判断する。受信したポストメッセージ命令がメッセージ終了でない場合、前記ポストメッセージ判断処理手段Ｐｍ８は、ポストメッセージ命令がマルチページ信号（ＭＰＳ）であるかどうかを判断し、受信したポストメッセージ命令がマルチページ信号である場合、前記受信処理手段Ｐｍ２は、複数ページ分のファクシミリデータを受信する。複数ページ分のファクシミリデータの受信が終了すると、通信部１９は電話回線２０を開放することによって通信を終了し、処理を終了する。
【０１４２】
また、受信したポストメッセージ命令が、着呼機にファクシミリデータ、本実施の形態においては、エラーレポートの送信を要求するためのメッセージ終了である場合、着呼機においてメッセージ終了を受信すると（図３３：ＥＯＭ）、前記送信処理手段Ｐｍ１は、再び、被呼端末識別及びデジタル識別信号を発呼機に送信し、着呼機の能力宣言を行う（図３３：ＣＳＩ／ＤＩＳ）。
【０１４３】
着呼機の能力宣言が行われると、発呼機は、発呼端末識別（ＣＩＧ）を着呼機に送信するとともに、デジタル識別信号に対する応答である、着呼機にエラーレポートの送信を要求するデジタル送信命令（ＤＴＣ）をコマンドとして着呼機に送信する（図３３：ＣＩＧ／ＤＴＣ）。
【０１４４】
そして、着呼機において、受信処理手段Ｐｍ２が前記発呼端末識別及びコマンドを受信すると、前記デジタル命令信号判断処理手段Ｐｍ３は、受信したコマンドがデジタル命令信号（ＤＣＳ）であるかどうか判断し、受信したコマンドがデジタル命令信号でない場合、通信制御処理手段Ｐｍ２１のデジタル送信命令判断処理手段Ｐｍ９は、受信したコマンドがデジタル送信命令であるかどうかを判断する。受信したコマンドがデジタル送信命令である場合、通信制御処理手段Ｐｍ２１の電話情報判定処理手段としての電話番号判定処理手段Ｐｍ１１は、電話情報判定処理としての電話番号判定処理を行い、送信先情報記録部１５ｄから送信端末識別を読み出し、電話番号記録部１５ｅを参照し、送信端末識別が短縮ダイヤル〔ｍ〕の電話番号のうちのいずれかと一致するかどうか、すなわち、電話番号が一致するかどうかを判断する。
【０１４５】
電話番号が一致する場合、前記電話番号判定処理手段Ｐｍ１１は、電話番号が一致することを表す一致判定を送信先情報記録部１５ｄに記録する。続いて、送信処理手段Ｐｍ１は、着呼機を識別するための送信端末識別及びデジタル命令信号を発呼機に送信する（図３３：ＴＳＩ／ＤＣＳ）。
【０１４６】
なお、発呼機は、着呼機から送信されたデジタル命令信号に従って発呼機の標準の機能を設定する。また、受信したコマンドがデジタル送信命令でない場合、及び送信端末識別が短縮ダイヤル〔ｍ〕の電話番号のうちのいずれとも一致しない場合、通信部１９は電話回線２０を開放することによって通信を終了し、処理を終了する。
【０１４７】
続いて、送信処理手段Ｐｍ１が発呼機にトレーニングチェック信号を送信すると（図３３：ＴＣＦ）、発呼機において、ファクシミリデータの送受信のためのモデムトレーニングが行われ、トレーニング結果が良好である場合、発呼機から受信準備確認信号が送信される。そして、着呼機において、受信処理手段Ｐｍ２が前記受信準備確認信号を受信すると（図３３：ＣＦＲ）、送信処理手段Ｐｍ１は、エラーレポート情報記録部１５ｃからエラーレポートを読み出し、発呼機に送信する（図３３：ＰＩＸ）。
【０１４８】
次に、前記記録処理手段Ｐｍ１０は、送信処理手段Ｐｍ１によってエラーレポートが発呼機に送信されたことを表す送信記録を、第５のエラーレポート情報としてエラーレポート情報記録部１５ｃに記録する。
【０１４９】
続いて、送信処理手段Ｐｍ１は、ポストメッセージ命令としてメッセージ終了を発呼機に送信し（図３３：ＥＯＰ）、受信処理手段Ｐｍ２が前記メッセージ確認を受信すると（図３３：ＭＣＦ）、切断命令（ＤＣＮ）を発呼機に送信する（図３３：ＤＣＮ）。そして、通信部１９は電話回線２０を開放することによって通信を終了し、処理を終了する。
【０１５０】
次に、図２９のフローチャートについて説明する。
ステップＳ３１  通信制御処理手段Ｐｍ２１は通信制御処理を行う。
ステップＳ３２  リカバリ処理手段Ｐｍ２２はリカバリ処理を行い、処理を終了する。
【０１５１】
次に、図３０及び３１のフローチャートについて説明する。
ステップＳ３１−１  送信処理手段Ｐｍ１は着呼機の能力宣言を行う。
ステップＳ３１−２  受信処理手段Ｐｍ２はコマンドを受信する。
ステップＳ３１−３  デジタル命令信号判断処理手段Ｐｍ３は受信したコマンドがデジタル命令信号（ＤＣＳ）であるかどうかを判断する。受信したコマンドがデジタル命令信号（ＤＣＳ）である場合はステップＳ３１−４に、受信したコマンドがデジタル命令信号（ＤＣＳ）でない場合はステップＳ３１−１３に進む。
ステップＳ３１−４  送信処理手段Ｐｍ１は受信準備確認信号（ＣＦＲ）を送信する。
ステップＳ３１−５  親展情報受信判断処理手段Ｐｍ６はサブアドレス（ＳＵＢ）及びパスワード（ＰＷＤ）を受信したかどうかを判断する。サブアドレス（ＳＵＢ）及びパスワード（ＰＷＤ）を受信した場合はステップＳ３１−６に、サブアドレス（ＳＵＢ）及びパスワード（ＰＷＤ）を受信しない場合はステップＳ３１−８に進む。
ステップＳ３１−６  エラー判定処理手段Ｐｍ７はエラーが発生したかどうかを判断する。エラーが発生した場合はステップＳ３１−７に、エラーが発生していない場合はステップＳ３１−８に進む。
ステップＳ３１−７  レポート生成部１８はエラーレポートを生成する。
ステップＳ３１−８  受信処理手段Ｐｍ２はファクシミリデータ（ＰＩＸ）を受信する。
ステップＳ３１−９  受信処理手段Ｐｍ２はポストメッセージ命令を受信する。
ステップＳ３１−１０  送信処理手段Ｐｍ１はメッセージ確認（ＭＣＦ）を送信する。
ステップＳ３１−１１  ポストメッセージ判断処理手段Ｐｍ８は受信したポストメッセージ命令がメッセージ終了（ＥＯＭ）であるかどうかを判断する。受信したポストメッセージ命令がメッセージ終了（ＥＯＭ）である場合はステップＳ３１−１に戻り、受信したポストメッセージ命令がメッセージ終了（ＥＯＭ）でない場合はステップＳ３１−１２に進む。
ステップＳ３１−１２  ポストメッセージ判断処理手段Ｐｍ８は受信したポストメッセージ命令がマルチページ信号（ＭＰＳ）であるかどかを判断する。受信したポストメッセージ命令がマルチページ信号（ＭＰＳ）である場合はステップＳ３１−８に戻り、受信したポストメッセージ命令がマルチページ信号（ＭＰＳ）でない場合はステップＳ３１−２１に進む。
ステップＳ３１−１３  デジタル送信命令判断処理手段Ｐｍ９は受信したコマンドがデジタル送信命令（ＤＴＣ）であるかどうかを判断する。受信したコマンドがデジタル送信命令（ＤＴＣ）である場合はステップＳ３１−１４に、受信したコマンドがデジタル送信命令（ＤＴＣ）でない場合はステップＳ３１−２１に進む。
ステップＳ３１−１４  電話番号判定処理手段Ｐｍ１１は電話番号が一致するかどうかを判断する。電話番号が一致する場合はステップＳ３１−１５に、電話番号が一致しない場合はステップＳ３１−２１に進む。
ステップＳ３１−１５  送信処理手段Ｐｍ１は送信端末識別（ＴＳＩ）及びデジタル命令信号（ＤＣＳ）を送信する。
ステップＳ３１−１６  送信処理手段Ｐｍ１はトレーニングチェック信号（ＴＣＦ）を送信する。
ステップＳ３１−１７  受信処理手段Ｐｍ２は受信準備確認信号（ＣＦＲ）を受信する。
ステップＳ３１−１８  送信処理手段Ｐｍ１はエラーレポート（ＰＩＸ）を送信する。
ステップＳ３１−１９  送信処理手段Ｐｍ１はポストメッセージ命令を送信する。
ステップＳ３１−２０  受信処理手段Ｐｍ２はメッセージ確認（ＭＣＦ）を受信する。
ステップＳ３１−２１  通信部１９は通信を終了し、リターンする。
【０１５２】
ところで、前述されたように、前記通信制御処理において、送信端末識別が短縮ダイヤル〔ｍ〕の電話番号のうちのいずれとも一致しない場合は、レポート生成部１８によってエラーレポートが生成されても、発呼機にエラーレポートは送信されない。
【０１５３】
その場合、図３４に示されるようなシーケンスで通信制御処理が行われる。
【０１５４】
該通信制御処理においては、前記通信部１９が、発呼機からの呼出しを受けると、発呼機に対して応答をする（図３４：呼出し及び応答）。これにより、通信部１９と発呼機の通信部とが電話回線２０を介して接続される。
【０１５５】
通信制御処理手段Ｐｍ２１の前記送信処理手段Ｐｍ１は、着呼機を識別するための被呼端末識別（ＣＳＩ）、及び着呼機の標準能力を表すデジタル識別信号（ＤＩＳ）を発呼機に送信し、着呼機の能力宣言を行う（図３４：ＣＳＩ／ＤＩＳ）。
【０１５６】
次に、通信制御処理手段Ｐｍ２１の前記受信処理手段Ｐｍ２が、発呼機から送信された、発呼機を識別するための発呼機情報としての送信端末識別（ＴＳＩ）、及び所定のコマンドを受信すると、前記通信制御処理手段Ｐｍ２１の前記記録処理手段Ｐｍ１０は、送信端末識別を送信先情報記録部１５ｄに記録する。そして、通信制御処理手段Ｐｍ２１の前記デジタル命令信号判断処理手段Ｐｍ３は、受信したコマンドが、デジタル識別信号に対する応答であるデジタル命令信号（ＤＣＳ）であるかどうかを判断し、受信したコマンドがデジタル命令信号である場合、通信制御処理手段Ｐｍ２１の前記機能設定処理手段Ｐｍ４は、デジタル命令信号に従って着呼機の標準の機能を設定する。
【０１５７】
また、発呼機は、着呼機に親展受信を指示するために、前記送信端末識別及びデジタル命令信号のほかに、親展ボックスの、第１の親展情報としての、かつ、親展ボックス特定情報としてのボックス番号を指定するための特定情報としてのサブアドレス（ＳＵＢ）、及び第２の親展情報としての、かつ、認証情報としてのパスワード（ＰＷＤ）を着呼機に送信する。したがって、着呼機において、前記受信処理手段Ｐｍ２は、前記送信端末識別、デジタル命令信号、サブアドレス及びパスワードを受信する（図３４：ＴＳＩ／ＤＣＳ／ＳＵＢ／ＰＷＤ）。
【０１５８】
続いて、受信処理手段Ｐｍ２が発呼機から送信されたトレーニングチェック信号（ＴＣＦ）を受信すると（図３４：ＴＣＦ）、通信制御処理手段Ｐｍ２１の前記トレーニング処理手段Ｐｍ５は、ファクシミリデータの送受信のためのモデムトレーニングを行い、トレーニング結果が良好である場合、前記送信処理手段Ｐｍ１は、ファクシミリデータを受信する準備が終了したことを表す受信準備確認信号（ＣＦＲ）を発呼機に送信する（図３４：ＣＦＲ）。
【０１５９】
次に、前記通信制御処理手段Ｐｍ２１の親展情報受信判断処理手段Ｐｍ６は、サブアドレス及びパスワードを受信したかどうかを判断し、サブアドレス及びパスワードを受信した場合、前記通信制御処理手段Ｐｍ２１のエラー判定処理手段Ｐｍ７は、親展受信の際にエラーが発生したかどうかを判断する。
【０１６０】
そのために、エラー判定処理手段Ｐｍ７は、受信したサブアドレスによって指示されたボックス番号及びパスワードが一致するかどうかを判断し、受信したサブアドレスによって指示されたボックス番号と、ボックス番号記録部３０に記録されたボックス番号とが一致しない場合、受信したパスワードとボックスパスワード記録部３１に記録されたパスワードとが一致しない場合、及び親展ボックスが開設されていない場合、エラーが発生したと判断し、エラーレポートの種別をレポート生成部１８に送る。
【０１６１】
該レポート生成部１８は、エラーレポートの種別に応じたエラーレポートを生成し、第１〜第３のエラーレポート情報としてエラーレポート情報記録部１５ｃに記録する。また、前記記録処理手段Ｐｍ１０は、レポート生成部１８によってエラーレポートが生成されたことを表す生成記録を、第４のエラーレポート情報としてエラーレポート情報記録部１５ｃに記録する。
【０１６２】
そして、前記受信処理手段Ｐｍ２が、発呼機から送信されたファクシミリデータを受信し（図３４：ＰＩＸ）、続いて、ポストメッセージ命令を受信すると、前記送信処理手段Ｐｍ１は、発呼機にポストメッセージ命令を受信したことを通知するためのメッセージ確認（ＭＣＦ）を送信する（図３４：ＭＣＦ）。
【０１６３】
そして、通信制御処理手段Ｐｍ２１の前記ポストメッセージ判断処理手段Ｐｍ８は、受信したポストメッセージ命令がメッセージ終了（ＥＯＭ）であるかどうかを判断する。受信したポストメッセージ命令がメッセージ終了でない場合、前記ポストメッセージ判断処理手段Ｐｍ８は、ポストメッセージ命令がマルチページ信号（ＭＰＳ）であるかどうかを判断し、受信したポストメッセージ命令がマルチページ信号である場合、前記受信処理手段Ｐｍ２は、複数ページ分のファクシミリデータを受信する。複数ページ分のファクシミリデータの受信が終了すると、通信部１９は電話回線２０を開放することによって通信を終了し、処理を終了する。
【０１６４】
また、受信したポストメッセージ命令が、着呼機にファクシミリデータ、本実施の形態においては、エラーレポートの送信を要求するためのメッセージ終了である場合、着呼機においてメッセージ終了を受信すると（図３４：ＥＯＭ）、前記送信処理手段Ｐｍ１は、再び、被呼端末識別及びデジタル識別信号を発呼機に送信し、着呼機の能力宣言を行う（図３４：ＣＳＩ／ＤＩＳ）。
【０１６５】
着呼機の能力宣言が行われると、発呼機は、発呼端末識別（ＣＩＧ）を着呼機に送信するとともに、デジタル識別信号に対する応答である、着呼機にエラーレポートの送信を要求するデジタル送信命令（ＤＴＣ）をコマンドとして着呼機に送信する（図３４：ＣＩＧ／ＤＴＣ）。
【０１６６】
着呼機において、受信処理手段Ｐｍ２が発呼端末識別及びデジタル送信命令を受信すると、送信処理手段Ｐｍ１は、切断命令（ＤＣＮ）を発呼機に送信する（図３４：ＤＣＮ）。そして、通信部１９は電話回線２０を開放することによって通信を終了し、処理を終了する。
【０１６７】
次に、リカバリ処理手段Ｐｍ２２の動作について説明する。
【０１６８】
まず、リカバリ処理手段Ｐｍ２２の前記エラーレポート判定処理手段Ｐｍ３１は、エラーレポート情報記録部１５ｃを参照し、エラーレポートが生成されたかどうかを判断し、エラーレポートが生成された場合、エラーレポートが発呼機に送信されたかどうかを判断する。
【０１６９】
そして、エラーレポートが発呼機に送信されていない場合、リカバリ処理手段Ｐｍ２２の前記エラーレポート送信先情報判定処理手段Ｐｍ３２は、送信先情報記録部１５ｄを参照し、発呼機から送信された送信端末識別が受信されているかどうかを判断し、送信端末識別が受信されている場合、前記電話番号判定処理手段Ｐｍ１１は、送信先情報記録部１５ｄを参照し、一致判定を読み出し、送信端末識別が短縮ダイヤル〔ｍ〕の電話番号のうちのいずれかと一致するかどうかを判断する。
【０１７０】
送信端末識別が短縮ダイヤル〔ｍ〕の電話番号のうちのいずれかと一致する場合、リカバリ処理手段Ｐｍ２２のエラーレポート送信処理手段Ｐｍ３３は、エラーレポートを発呼機に送信する。送信端末識別が短縮ダイヤル〔ｍ〕の電話番号のうちのいずれとも一致しない場合、通信部１９は処理を終了する。
【０１７１】
このように、本実施の形態においては、送信端末識別が短縮ダイヤル〔ｍ〕の電話番号のうちのいずれかと一致する場合に、発呼機にエラーレポートが送信されるので、ファクシミリ通信システムのセキュリティを向上させることができる。
【０１７２】
次に、図３２のフローチャートについて説明する。
ステップＳ３２−１  エラーレポート判定処理手段Ｐｍ３１はエラーレポートが生成されたかどうかを判断する。エラーレポートが生成された場合はステップＳ３２−２に進み、エラーレポートが生成されていない場合はリターンする。
ステップＳ３２−２  エラーレポート判定処理手段Ｐｍ３１はエラーレポートが送信されたかどうかを判断する。エラーレポートが送信された場合はリターンし、エラーレポートが送信されていない場合はステップＳ３２−３に進む。
ステップＳ３２−３  エラーレポート送信先情報判定処理手段Ｐｍ３２は送信端末識別（ＴＳＩ）が受信されているかどうかを判断する。送信端末識別（ＴＳＩ）が受信されている場合はステップＳ３２−４に進み、送信端末識別（ＴＳＩ）が受信されていない場合はリターンする。
ステップＳ３２−４  電話番号判定処理手段Ｐｍ１１は電話番号が一致するかどうかを判断する。電話番号が一致する場合はステップＳ３２−５に進み、電話番号が一致しない場合はリターンする。
ステップＳ３２−５  エラーレポート送信処理手段Ｐｍ３３はエラーレポート送信処理を行い、リターンする。
【０１７３】
次に、ファクシミリ通信システムの比較例について説明する。
【０１７４】
図３５は比較例における通信制御処理のシーケンス図である。
【０１７５】
まず、操作者Ａが着呼機Ａの操作部を操作して親展ボックスを開設する。このとき、着呼機Ａにおいてボックス番号及びパスワードが記録される。続いて、操作者Ｂが発呼機Ｂの操作部を操作して、着呼機Ｂの前記ボックス番号及びパスワードを指定し、親展送信を行う。
【０１７６】
そして、発呼機Ｂが着呼機Ａに前記ボックス番号及びパスワードを送信すると、着呼機Ａは、受信したボックス番号及びパスワードに基づいて、開設されている親展ボックスを検索し、受信したボックス番号と一致するボックス番号の親展ボックスが存在する場合、ファクシミリデータを受信し、親展ボックスに記録する。なお、受信したボックス番号と一致するボックス番号の親展ボックスが存在しない場合は、通信エラーとされる。
【０１７７】
そして、ファクシミリデータの受信が終了した後、操作者Ａが着呼機Ａにおいてボックス番号及びパスワードを指定すると、着呼機Ａは指定されたボックス番号の親展ボックスを検索し、指定されたボックス番号と一致するボックス番号の親展ボックスが存在する場合は、親展ボックスに記録されたファクシミリデータを出力（印刷）する。
【０１７８】
この種のファクシミリ通信システムにおいては、ボックス番号の指定に誤りがあると、通信エラーとされ、ボックス番号が発呼機に送り返されるようになっている。
【０１７９】
次に、シーケンスについて説明する。
ステップＴ１  操作者Ａが着呼機Ａに親展ボックスを開設する。
ステップＴ２  着呼機Ａに親展ボックスのボックス番号及びパスワードが記録される。
ステップＴ３  操作者Ｂが着呼機Ｂのボックス番号及びパスワードを指定し、親展送信を行う。
ステップＴ４  発呼機Ｂから着呼機Ａにボックス番号及びパスワードが送信される。
ステップＴ５  着呼機Ａにおいて、受信したボックス番号及びパスワードに基づいて親展ボックスが検索され、受信したボックス番号と一致するボックス番号の親展ボックスが存在する場合は、ファクシミリデータの受信が行われる。
ステップＴ６  操作者Ａが着呼機Ａを操作し、ボックス番号及びパスワードを指定する。
ステップＴ７  着呼機Ａにおいて、指定されたボックス番号の親展ボックスが検索され、指定されたボックス番号と一致するボックス番号の親展ボックスが存在する場合に、親展ボックスに記録されたファクシミリデータが出力（印刷）される。
【０１８０】
前記各実施の形態においては、ファクシミリについて説明しているが、本発明をファクシミリ通信の機能を備える複合機、サーバーシステム等に適用することができる。
【０１８１】
なお、本発明は前記各実施の形態に限定されるものではなく、本発明の趣旨に基づいて種々変形させることが可能であり、それらを本発明の範囲から排除するものではない。
【符号の説明】
【０１８２】
１０    ファクシミリ
１５ａ    親展ボックス管理情報部
１５ｂ    親展ボックス情報部
１８    レポート生成部
Ｐｍ１    送信処理手段
Ｐｍ７    エラー判定処理手段
【図１】
2014165822.tif 000003
【図２】
2014165822.tif 000004
【図３】
2014165822.tif 000005
【図４】
2014165822.tif 000006
【図５】
2014165822.tif 000007
【図６】
2014165822.tif 000008
【図７】
2014165822.tif 000009
【図８】
2014165822.tif 000010
【図９】
2014165822.tif 000011
【図１０】
2014165822.tif 000012
【図１１】
2014165822.tif 000013
【図１２】
2014165822.tif 000014
【図１３】
2014165822.tif 000015
【図１４】
2014165822.tif 000016
【図１５】
2014165822.tif 000017
【図１６】
2014165822.tif 000018
【図１７】
2014165822.tif 000019
【図１８】
2014165822.tif 000020
【図１９】
2014165822.tif 000021
【図２０】
2014165822.tif 000022
【図２１】
2014165822.tif 000023
【図２２】
2014165822.tif 000024
【図２３】
2014165822.tif 000025
【図２４】
2014165822.tif 000026
【図２５】
2014165822.tif 000027
【図２６】
2014165822.tif 000028
【図２７】
2014165822.tif 000029
【図２８】
2014165822.tif 000030
【図２９】
2014165822.tif 000031
【図３０】
2014165822.tif 000032
【図３１】
2014165822.tif 000033
【図３２】
2014165822.tif 000034
【図３３】
2014165822.tif 000035
【図３４】
2014165822.tif 000036
【図３５】
2014165822.tif 000037